(57)【要約】      （修正有）【課題】開封の際にゴミの発生がなく内容物の取り出し後蓋付き収容ケースとして有効に再利用できる梱包ケース。【解決手段】展開状態において横方向に連接された正面パネル１と底面パネル２と背面パネル３と天面パネル４と、正面パネル１と背面パネル３の縦方向の端部に連接された内側面パネル５，６と、底面パネル２と天面パネル４の縦方向の端部に連接され内側面パネル５，６の外側に重ねられて接着される外側面パネル７，８と、天面パネル４に連接され正面パネル１に接着される糊付けフラップ９とを有する梱包ケースにおいて、内側面パネル５，６に、切り込み線１０で囲んだ側面切り取り部１１を、外側面パネル８と接着される内側面パネル５，６の接着部１２を側面切り取り部１１上に、正面パネル１の開放側端縁に沿って切り込み線１４で囲んだ正面切り取り部１５を、糊付けフラップ９と接着される正面パネル１の接着部１６を正面切り取り部１５上に設けた。【選択図】図１
2011143957.tif 000002
【特許請求の範囲】
【請求項１】
展開状態において縦折れ線を介して横方向に連接している正面パネルと底面パネルと背面パネルと天面パネルと、前記正面パネルと前記背面パネルのそれぞれ縦方向の両端部に横折れ線を介して連接している内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、
前記正面パネルと前記背面パネルに連接している前記内側面パネルには、前記天面パネルに連接している外側面パネルが重ねられる領域の一部に、ミシン目又はスリットからなる切り込み線で囲まれた側面切り取り部が設けられ、前記天面パネルに連接している外側面パネルと接着される前記内側面パネルの接着部は、前記側面切り取り部上に設けられており、
また、前記正面パネルには、開放側端縁に沿ってミシン目又はスリットからなる切り込み線で囲まれた正面切り取り部が設けられ、前記天面パネルに連接している糊付けフラップと接着される前記正面パネルの接着部は、前記正面切り取り部上に設けられていることを特徴とする梱包ケース。
【請求項２】
前記天面パネルの両端部に横折れ線を介して連接している前記外側面パネルには、前記内側面パネルと接着しない開放側の角部に摘み部形成用折れ線が設けられていることを特徴とする請求項１に記載の梱包ケース。
【発明の詳細な説明】
【技術分野】
【０００１】
この発明は、複数冊のカットシート等を梱包するための梱包ケースに係るものであり、特に、開封と取り出しが容易で、開封後に再封止できる蓋付きの箱として再利用可能な梱包ケースに関するものである。
【背景技術】
【０００２】
複写紙、印刷用紙、転写用紙、感圧紙、プリンタ用紙等のカットシートは、一般に所定の枚数を単位として包装用紙で包装され冊に形成され、そして所定の冊を１単位としてダンボールや厚板紙製のケースに梱包されている。
【０００３】
かかるダンボールや厚板紙製の梱包ケースとして、ケース本体を形成する正面パネル、底面パネル、背面パネル、天面パネルに一巻きするように設けられたカットテープを剥がして、梱包されているカットシートの先端を露出させる開封手段を備えた梱包ケースが多く使用されている。
【０００４】
このような開封手段を備えた梱包ケースでは、縦置きにしないと開封することができず、また、一旦開封すると梱包ケースは開口したままとなり、梱包ケース内への埃等の進入を防ぐことができず、梱包ケース内に残っているカットシートが汚れてしまうおそれがあり、また、カットシートを取り出したあとは、梱包ケースは古紙処理にまわされるかゴミとして廃棄されるだけであった。
【０００５】
上記のようなダンボールや厚板紙製の梱包ケースは、一般に堅牢であり、内容物を取り出した後、直ぐに古紙処理にまわしたりゴミとして廃棄するのは勿体ないといった考えから、横置きしたまま容易に開封することができ、また、開封した後に開口部を閉じることができるようにし、また、カットシートを取り出したあと、梱包ケースを蓋付き収納ケースとして再利用することを目的とする梱包ケースが提案されている（例えば、特許文献１参照。）。
【０００６】
この特許文献１で提案されている梱包ケースは、組立状態で、正面パネルまたは背面パネルのいずれかのパネルの面上と、天面パネルに連接する両側面パネルの上方とに、下方から上方に切込線からなる開封手段が設けられた構成となっており、前記切込線を切断して天面パネルを開くことにより、梱包ケースを横置きのまま開封することができ、また、開封した後に天面パネルを蓋として開口部を閉じることができ、また、カットシートを取り出したあと、梱包ケースを蓋付き収納ケースとして再利用できるものとしている。
【０００７】
しかし、上記の特許文献１で提案されている梱包ケースは、開封後に天面パネルを蓋として開口部を閉じたとき、天面パネルを閉じた状態で止める手段がないため、閉じた状態に保つことができず、ケース本体と蓋となる天面パネルとの間に隙間ができ、この隙間からケース本体内へ埃等が入ってしまうといった問題があり、また、梱包ケースを開封したとき、正面パネルまたは背面パネルのいずれかのパネルの面上と、天面パネルに連接する両側面パネルの上方が、切断されて天面パネルと一体となって蓋を構成することになるので、ケース本体は大きく開口し、その分容積も少なくなり、またケースとしての強度が弱くなるので、蓋付き収容ケースとして再利用度は低く、実用的ではないといった問題があった。
【０００８】
そこで、これらの問題を解決する梱包ケースとして、本出願人は、本出願前に、天面パネルの両端部に横折れ線を介して連接している外側面パネルに、横折れ線との間に非接着部が残るように糊代部を設け、該非接着部には横折れ線との間に所定の間隔を空けて横折れ線に沿って２本のミシン目又はカットテープからなる切断部を設け、また、正面パネルには、天面パネルに連接している糊付けフラップと接着される接着部の下縁に沿ってミシン目又はスリットからなる切断部を設けた梱包ケースを出願した（特許文献２参照。）。
【０００９】
この特許文献２に記載の梱包ケースによれば、開封に際し、天面パネルの両端部に連接している外側面パネルの非接着部に設けられている切断部を切断し、正面パネルを天面パネルに連接している糊付けフラップと接着される接着部の下縁に沿って設けられた切断部を切断することにより、天面パネルの三方が開放され、天面パネルは背面パネルとの間の縦折れ線をヒンジとして開き、梱包ケースが開封される。
【００１０】
そして、天面パネルには、その両端部に外側面パネルの残片があり、そして糊付けフラップを連接した端部には正面パネルの切断片が接着している糊付けフラップが残っているので、開封した梱包ケースを再封止する場合、天面パネルを蓋として開口部を閉じ、そして天面パネルの両端部に残っている外側面パネルの残片を内側面パネルの内側に差し込むことにより、外側面パネルの残片が内側面パネルに圧接して抜け止めされ、天面パネルを閉じた状態に保つことができ、ケース内へ埃等が入ることを防止することができる。
【００１１】
また、開封の際は正面パネルにおける天面パネルに連接している糊付けフラップと接着される接着部が切断片として切り取られるだけであり、開封後のケースの強度の低下は僅かであることから、内容物の取り出し後、蓋付き収容ケースや配送用梱包ケースとして有効に再利用できる。
【先行技術文献】
【特許文献】
【００１２】
【特許文献１】特開２００５−１０４５４８号公報
【特許文献２】特開２００９−８３９３１号公報
【発明の概要】
【発明が解決しようとする課題】
【００１３】
上記した特許文献２に記載の梱包ケースは、内容物の取り出し後、蓋付き収容ケースや配送用梱包ケースとして有効に再利用できるものであるが、天面パネルの両端部に横折れ線を介して連接している外側面パネルに２本のミシン目又はカットテープからなる切断部を設けた構成となっているため、未だ次のような解決すべき問題点が残っている。
【００１４】
即ち、開封に際し、外側面パネルに２本のミシン目又はカットテープからなる切断部を切断するが、このとき切り取られた２本のミシン目で囲まれた部分又はカットテープはゴミとなり、ゴミの排出といった手間を要した。
【００１５】
また、切断部がカットテープからなる場合、一般に、カットテープが設けられる梱包ケースにおいては製作上の都合から、一枚の平らなシート材の全幅に亘ってカットテープを貼付し、このカットテープを貼付したダンボールや厚板紙等のパネル用シート材を所定の展開形状にカットすることが多く、この場合、外側面パネルの他に、背面パネルの縦方向の両端部に連接している内側面パネル、底面パネルの縦方向の両端部に連接している外側面パネル、正面パネルの縦方向の両端部に連接している内側面パネルにもカットテープが設けられていることになる。
【００１６】
このような場合、梱包ケースを開封するに際し、天面パネルの縦方向の両端部に連接している外側面パネルに設けられたカットテープを引っ張って取り除いても、背面パネルの縦方向の両端部に連接している内側面パネル、底面パネルの縦方向の両端部に連接している外側面パネル、正面パネルの縦方向の両端部に連接している内側面パネルのぞれぞれに設けられたカットテープは梱包ケースに残存することになる。
【００１７】
かかる梱包ケースから内容物を取り出した後、また、梱包ケースとして再利用した後、これをリサイクルしようとしたとき、梱包ケースに残存しているカットテープは不溶性であるため、回収時に分別するか、古紙処理製造時に除去する必要があり、リサイクルを行う際の作業が煩雑なものとなる。
【００１８】
本発明の目的は、開封の際にゴミの発生がなく、またカットテープを用いなくても容易に開封することができるようにすることによりリサイクル性の向上とコスト削減を図り、更には、開封後の再封止を容易に且つ確実に行えるようにし、そして、内容物の取り出し後、蓋付き収容ケースや配送用梱包ケースとして有効に再利用できるようにした梱包ケースを提供することにある。
【課題を解決するための手段】
【００１９】
上記の目的を達成するために、請求項１に記載の発明は、展開状態において縦折れ線を介して横方向に連接している正面パネルと底面パネルと背面パネルと天面パネルと、前記正面パネルと前記背面パネルのそれぞれ縦方向の両端部に横折れ線を介して連接している内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、前記正面パネルと前記背面パネルに連接している前記内側面パネルには、前記天面パネルに連接している外側面パネルが重ねられる領域の一部に、ミシン目又はスリットからなる切り込み線で囲まれた側面切り取り部が設けられ、前記天面パネルに連接している外側面パネルと接着される前記内側面パネルの接着部は、前記側面切り取り部上に設けられており、また、前記正面パネルには、開放側端縁に沿ってミシン目又はスリットからなる切り込み線で囲まれた正面切り取り部が設けられ、前記天面パネルに連接している糊付けフラップと接着される前記正面パネルの接着部は、前記正面切り取り部上に設けられていることを特徴とする。
【００２０】
請求項２に記載の発明は、請求項１に記載の、前記天面パネルの両端部に横折れ線を介して連接している前記外側面パネルには、前記内側面パネルと接着しない開放側の角部に摘み部形成用折れ線が設けられていることを特徴とする。
【発明の効果】
【００２１】
請求項１に記載の梱包ケースによれば、正面パネルと背面パネルに連接している内側面パネルには、天面パネルに連接している外側面パネルが重ねられる領域の一部に、ミシン目又はスリットからなる切り込み線で囲まれた側面切り取り部が設けられ、天面パネルに連接している外側面パネルと接着される内側面パネルの接着部は、側面切り取り部上に設けられており、また、正面パネルには、開放側端縁に沿ってミシン目又はスリットからなる切り込み線で囲まれた正面切り取り部が設けられ、天面パネルに連接している糊付けフラップと接着される正面パネルの接着部は、正面切り取り部上に設けられているので、開封に際し、天面パネルに連接され正面パネルに接着されている糊付けフラップを、その開放側端縁から剥離方向へ引き上げることにより正面パネルに設けられた切り込み線で囲まれた正面切り取り部が正面パネルから切り取られて糊付けフラップと正面パネルとが分離し、そして、天面パネルの両端部に連接している外側面パネルを、その開放側端縁から剥離方向へ引き上げることにより内側面パネルに設けられた切り込み線で囲まれた側面切り取り部が内側面パネルから切り取られて外側面パネルと内側面パネルが分離するので、天面パネルの三方が開放され、天面パネルは背面パネルとの間の縦折れ線をヒンジとして開き、梱包ケースが開封される。
【００２２】
このようにして三方が開放された天面パネルには外側面パネル及び糊付けフラップがそのまま残っているので、開封した梱包ケースを再封止する場合、天面パネルを蓋として開口部を閉じ、そして天面パネルの両端部に残っている外側面パネルを内側面パネルの内側に差し込むことにより、外側面パネルが内側面パネルに圧接して抜け止めされ、また、糊付けフラップを正面パネルの内側へ差し込むことにより、糊付けフラップが正面パネルに圧接して抜け止めされるので、天面パネルを閉じた状態に保つことができ、ケース内へ埃等が入ることを防止することができる。
【００２３】
また、前記のように開封した後の梱包ケースは、内側面パネル及び正面パネルの一部の面が僅かに切り取られただけであって、原形が保たれた状態にあるので、開封後のケースの強度の低下は殆ど無く、内容物の取り出し後、蓋付き収容ケースや配送用梱包ケースとして有効に再利用できる。
【００２４】
また、開封の際、切り取られた内側面パネル及び正面パネルの一部である側面切り取り部及び正面切り取り部は外側面パネル及び糊付けフラップに接着しておりゴミとならないので、ゴミの排出といった手間が不要となる。また、梱包ケースの開封手段としてカットテープを使用しないため、梱包ケースのリサイクルを行う際に、梱包ケースから不溶性であるカットテープを分別し除去するといった作業の必要がなくなり、リサイクル性が向上する。また、カットテープを使用しないのでその分コスト削減を図ることができる。
【００２５】
請求項２に記載の梱包ケースによれば、請求項１に記載の、天面パネルの両端部に横折れ線を介して連接している外側面パネルには、内側面パネルと接着しない開放側の角部に摘み部形成用折れ線が設けられているので、開封の際、摘み部形用成折れ線を谷折りして開放側の角部を外向きに立ち上げることにより容易に摘み部を形成することができ、摘み部を摘んで内側面パネルと接着している外側面パネルを剥離方向に容易に引き上げ剥離することができる。
【図面の簡単な説明】
【００２６】
【図１】本発明に係る梱包ケースの実施の形態の一例を示す展開図。
【図２】本例の梱包ケースにおける内側面パネルに設けられた側面切り取り部の他例を示す展開図。
【図３】本例の梱包ケースにおける正面パネルに設けられた正面切り取り部の他例を示す展開図。
【図４】本例の梱包ケースにおける正面パネルに設けられた正面切り取り部の他例を示す展開図。
【図５】本例の梱包ケースにおける正面パネルに設けられた正面切り取り部の他例を示す展開図。
【図６】本例の梱包ケースの開封前の状態を示す斜視図。
【図７】図６に示す梱包ケースの天面パネルを開いた状態で、内容物を省略した状態を示す斜視図。
【図８】図６に示す梱包ケースを開いた後に再封止した状態の一例を示す斜視図。
【図９】図６に示す梱包ケースを開いた後に再封止した状態の他例を示す斜視図。
【発明を実施するための形態】
【００２７】
以下、本発明に係る梱包ケースを実施するための最良の形態を、図面を参照して詳細に説明する
図１乃至図８は本発明に係る梱包ケースの実施の形態の一例を示すもので、図１は本発明に係る梱包ケースの実施の形態の一例を示す展開図、図２は本例の梱包ケースにおける内側面パネルに設けられた側面切り取り部の他例を示す展開図、図３は本例の梱包ケースにおける正面パネルに設けられた正面切り取り部の他例を示す展開図、図４は本例の梱包ケースにおける正面パネルに設けられた正面切り取り部の他例を示す展開図、図５は本例の梱包ケースにおける正面パネルに設けられた正面切り取り部の他例を示す展開図、図６は本例の梱包ケースの開封前の状態を示す斜視図、図７は図６に示す梱包ケースの天面パネルを開いた状態で、内容物を省略した状態を示す斜視図、図８は図６に示す梱包ケースを開いた後に再封止した状態の一例を示す斜視図、図９は図６に示す梱包ケースを開いた後に再封止した状態の他例を示す斜視図である。
【００２８】
本例の梱包ケースは、図１に示すように、展開状態において縦折れ線イ、ロ、ハを介して横方向に連接している正面パネル１と底面パネル２と背面パネル３と天面パネル４と、正面パネル１と背面パネル３のそれぞれ縦方向の両端部に横折れ線ニ、ホを介して連接している内側面パネル５，６と、底面パネル２と天面パネル４のそれぞれ縦方向の両端部に横折れ線ヘ、トを介して連接され内側面パネル５，６の外側に重ねられて接着される外側面パネル７，８と、正面パネル１に接着される天面パネル４に縦折れ線チを介して連接している糊付けフラップ９とを有する。
【００２９】
前記した正面パネル１と背面パネル３に連接している内側面パネル５，６には、天面パネル４に連接している外側面パネル８が重ねられる領域の一部に、ミシン目又は適当な間隔で未打ち抜き部を有するスリットからなる切り込み線１０で囲まれた側面切り取り部１１が設けられている。この側面切り取り部１１は、その形状や数にあっては特に限定されないが、外側面パネル８との接着強度と剥がし易さとのバランスや、内容物の取り出し後に蓋付き収容ケースや配送用梱包ケースとして再利用するときのケースとしての強度を考慮して設定される。本例では、切り込み線１０で囲まれた側面切り取り部１１は内側面パネル５，６の一部を中抜きする形状に構成されており、内側面パネル５，６のそれぞれ２個宛設けられている。
【００３０】
そして、天面パネル４に連接している外側面パネル８と接着される内側面パネル５，６の接着部１２（図１において斜線で表示されている部分。）は、前記した側面切り取り部１１上に設けられている。本例では、接着部１２は側面切り取り部１１を越えて側面切り取り部１１外に跨るように設けられている。側面切り取り部１１を越える部分が大きいと内側面パネル５，６と外側面パネル８との接着強度が強く、また小さいと接着強度が弱くなるので、接着部１２は外側面パネル８との接着強度と剥がし易さとのバランスを考慮して設定される。また、外側面パネル８には、内側面パネル５，６と対向する面に、接着部１２に対応するように糊代部１３が設けられており、接着剤が塗布されている。
【００３１】
なお、本例では、切り込み線１０で囲まれた側面切り取り部１１は内側面パネル５，６の一部を中抜きする中抜き形状１１ａとなっているが、これに限らず、図２に示すように、天面パネル４に連接している外側面パネル８側に開放された開放側端縁に接続する凹形状１１ｂとすることもできる。
【００３２】
また、前記した正面パネル１には、開放側端縁に沿ってミシン目又はスリットからなる切り込み線１４で囲まれた正面切り取り部１５が設けられている。この正面切り取り部１５は、その形状や数にあっては特に限定されないが、天面パネル４に連接している糊付けフラップ９との接着強度と剥がし易さとのバランスや、内容物の取り出し後に蓋付き収容ケースや配送用梱包ケースとして再利用するときのケースとしての強度を考慮して設定される。
【００３３】
本例では、切り込み線１４で囲まれた正面切り取り部１５は、正面パネル１の開放側端縁の中央部に、開放側端縁に接続する凹形状１５ｂとなっているものと、凹形状１５ｂとなっている正面切り取り部１５の両側に開放側端縁に沿って正面パネル１の一部を中抜きする中抜き形状１５ａとなっている正面切り取り部１５とで構成されている。
【００３４】
そして、天面パネル４に連接している糊付けフラップ９と接着される正面パネル１の接着部１６（図１において斜線で表示されている部分。）は、前記した正面切り取り部１５上に設けられている。本例では、接着部１６は正面切り取り部１５を越えて正面切り取り部１５外に跨るように設けられている。正面切り取り部１５を越える部分が大きいと糊付けフラップ９と正面パネル１の接着強度が強く、また小さいと接着強度が弱くなるので、接着部１６は糊付けフラップ９と正面パネル１との接着強度と剥がし易さとのバランスを考慮して設定される。また、糊付けフラップ９には、正面パネル１と対向する面に、接着部１６に対応するように糊代部１７が設けられており、接着剤が塗布されている。
【００３５】
なお、本例では、切り込み線１４で囲まれた正面切り取り部１５は、凹形状１５ｂとなっているものと中抜形状１５ａとなっている正面切り取り部１５とで構成されているが、これに限られない。例えば、図３に示すように、切り込み線１４で囲まれた正面切り取り部１５は、正面パネル１の開放側端縁に沿って、開放側端縁に接続する複数の凹形状１５ｂより構成することもでき、また、図４に示すように、正面パネル１の開放側端縁に沿って正面パネル１の一部を中抜きする複数の中抜形状１５ａにより構成することもできる。また、図５に示すように、正面パネル１の開放側端縁に沿って開放側端縁と平行に設けられた切り込み線１４ａと、正面パネル１と内側面パネル５が連接する横折れ線ニ上で、正面パネル１の開放側端縁から切り込み線１４ａに繋がるように設けられた切り込み線１４ｂで囲まれた部分をもって正面切り取り部１５を構成することもできる。
【００３６】
また、本例では、天面パネル４の両端部に連接している外側面パネル８には、内側面パネル５，６と接着しない開放側の角部に摘み部１８を形成する摘み部形成用折れ線１９が設けられている。
また、底面パネル２の両端部に連接している外側面パネル７には、内側面パネル５，６と接着する糊代部２０が設けられており、糊代部２０に接着剤が塗布されている。
【００３７】
このような展開構造を有する本例では、縦折れ線イ、ロ、ハ、チから正面パネル１、底面パネル２、背面パネル３、天面パネル４、糊付けフラップ９がそれぞれ谷折りされ、糊付けフラップ９が正面パネル１の開放端側に接着されてケース本体２１が形成される。この状態で、カットシート等の内容物がケース本体２１に収容されており、次に、横折れ線ニ、ホから内側面パネル５，６が谷折りされ、更に、横折れ線ヘ、トから外側面パネル７、８が谷折りされて内側面パネル５，６の上に重ねられ接着されることにより、開口部が封止され、これによって、カットシート等の内容物が梱包された梱包ケースが完成する（図６）。
【００３８】
このようにして封止された梱包ケースの開封にあっては、天面パネル４に連接され正面パネル１に接着されている糊付けフラップ９を、その開放側端縁から剥離方向へ引き上げ、切り込み線１４を切断して該切り込み線１４で囲まれた正面切り取り部１５を正面パネル１から切り取り、同時に正面切り取り部１５を越えて接着している接着部１６の部分における正面パネル１と糊付けフラップ９とを剥離させる。これにより糊付けフラップ９と正面パネル１とが分離する。
【００３９】
また、天面パネル４の両端部に連接している外側面パネル８を、その開放側端縁から剥離方向へ引き上げ、切り込み線１０を切断して該切り込み線１０で囲まれた側面切り取り部１１を内側面パネル５，６から切り取り、同時に側面切り取り部１１を越えて接着している接着部１６の部分における外側面パネル８と内側面パネル５，６とを剥離させる。これにより外側面パネル８と内側面パネル５，６とが分離する。
【００４０】
このとき、本例では、天面パネル４の両端部に連接している外側面パネル８には、内側面パネル５，６と接着しない開放側の角部に摘み部１８を形成する摘み部形成用折れ線１９が設けられているので、開封の際、外側面パネル８を、その開放側端縁から剥離方向へ引き上げるとき、摘み部形成折れ線１９を谷折りして開放側の角部を外向きに容易に立ち上げ摘み部１８を形成することができ、摘み部１８を摘んで内側面パネル５，６と接着している外側面パネル８を剥離方向に容易に引き上げ剥離することができる。
【００４１】
このようにして、天面パネル４の三方が開放され、天面パネル４は背面パネル３との間の縦折れ線ハをヒンジとして開いてケース本体２１の開口部が開口し、梱包ケースが開封される（図７）。
【００４２】
三方が開放された天面パネル４には、その両端部に、内側面パネル５，６の側面切り取り部１１が接着している外側面パネル８があり、そして糊付けフラップ９を連接した端部には、正面パネル１の正面切り取り部１５が接着している糊付けフラップ９が残っているので、開口したケース本体２１内から必要な数量のカットシート等の内容物を取り出した後、天面パネル４を蓋として開口部を閉じ、そして、天面パネル４の両端部に残っている外側面パネル８をケース本体２１を構成している内側面パネル５，６の内側に差し込むことにより、外側面パネル８が内側面パネル５，６に圧接して抜け止めされ、また、糊付けフラップ９を正面パネル１の内側へ差し込むことにより、糊付けフラップ９が正面パネル１に圧接して抜け止めされるので、天面パネル４を閉じた状態に保つ、即ち再封することができ、ケース本体２１内へ埃等が入ることを防止することができ、そして、内容物の取り出し後、蓋付き収容ケースや配送用梱包ケースとして有効に再利用できるものとなる（図８）。
また、再封する場合、糊付けフラップ９を正面パネル１の内側へ差し込まずに正面パネル１の外側へ出しておいてもよい。このようにすると天面パネル４を閉じたとき、天面パネル４と糊付けフラップ９の間の縦折れ線チの部分が正面パネル１の開放端部に係止するので、天面パネル４がケース本体２１内へ落ち込むといった事態を確実に防止できる。
【００４３】
また、他の再封止手段として、図９に示すように、天面パネル４の両端部にある外側面パネル８をケース本体２１を構成している内側面パネル５の外側に出すとともに、内側面パネル６の内側に差し込むようにしてもよく、また図示しないが、外側面パネル８を内側面パネル５の内側に差し込むとともに、内側面パネル６の外側に出すようにしてもよい。即ち、外側面パネル８を内側面パネル５，６のうちのいずれか一方の外側に出し、他方の内側面パネルの内側に差し込むようにしてもよい。このようにした場合、天面パネル４はケース本体２１内へ落ち込まないので、蓋としての機能を十分に果たし、内容物の取り出し後、蓋付き収容ケースや配送用梱包ケースとして一層有効に再利用できるものとなる。
【００４４】
また、上記のように構成された梱包ケースは、開封の際、切り取られた内側面パネル５，６及び正面パネル１の一部である側面切り取り部１１及び正面切り取り部１５は外側面パネル８及び糊付けフラップ９に接着しておりゴミとならないので、ゴミの排出といった手間が不要となる。また、梱包ケースの開封手段としてカットテープを使用しないため、梱包ケースのリサイクルを行う際に、梱包ケースから不溶性であるカットテープを分別し除去するといった作業の必要がなくなり、リサイクル性が向上する。また、カットテープを使用しないのでその分コスト削減を図ることができる。
【符号の説明】
【００４５】
１  正面パネル
２  底面パネル
３  背面パネル
４  天面パネル
５，６  内側面パネル
７，８  外側面パネル
９  糊付けフラップ
１０  切り込み線
１１  側面切り取り部
１１ａ  中抜き形状
１１ｂ  凹形状
１２  接着部
１３  糊代部
１４、１４ａ、１４ｂ  切り込み線
１５  正面切り取り部
１５ａ  中抜き形状
１５ｂ  凹形状
１６  接着部
１７  糊代部
１８  摘み部
１９  摘み部形成用折れ線
２０  糊代部
２１  ケース本体
イ、ロ、ハ、チ  縦折れ線
ニ、ホ、ヘ、ト  横折れ線
【図１】
2011143957.tif 000003
【図２】
2011143957.tif 000004
【図３】
2011143957.tif 000005
【図４】
2011143957.tif 000006
【図５】
2011143957.tif 000007
【図６】
2011143957.tif 000008
【図７】
2011143957.tif 000009
【図８】
2011143957.tif 000010
【図９】
2011143957.tif 000011